(57)【要約】      （修正有）【課題】クレセント錠に容易に着脱できる着脱式のクレセント錠防犯器具の提供。【解決手段】クレセント錠を施錠した状態で、固定板１を設けてクレセント錠の受け金と外側の窓ガラスとの隙間に固定板１を挿入し、また同時に固定板２を設けてクレセント錠の基台の上に固定し、固定板３を設けてクレセントのレバー１０が下ろされるのを防ぎ、最低限、前記固定板１、２、３及び底板４を持つ、立方体及びそれに類する形態を作ることにより、上述の課題を解決し、侵入犯の防止に役立つだけでなく、防災的・経済的にも役に立つ。【選択図】図１
0003111732.tif 000002
【実用新案登録請求の範囲】
【請求項１】
クレセント錠が施錠された状態で、クレセント錠の受け金と外側の窓ガラスとの隙間に挿入させる固定板１と、クレセント錠の基台の上に固定させる固定板２と、施錠されたクレセント錠のクレセントのレバー１０が下ろされて開錠されるのを防止する固定板３と、底板４を設けた、クレセント錠防犯器具。
【請求項２】
請求項１のクレセント錠防犯器具をクレセント錠を覆い隠すように立方体に形作り、開閉可能な固定板２又は開閉可能な底板４に、掛け金やパッチン錠等適宜鍵またはそれに類する物６を装着し、外側にマジックテープ（登録商標）７を装着させて、侵入犯が開錠するのを幾重にも手間取らせ、難しくさせるクレセント錠防犯器具。
【請求項３】
金属等硬度の高い適宜素材で作った請求項１、２のクレセント錠防犯器具。
【考案の詳細な説明】
【技術分野】
【０００１】  本考案は、クレセント錠を施錠した状態で、クレセント錠の受け金と外側の窓ガラスとの間に生じる隙間と、クレセント錠の基台の凹部を利用して固定する、クレセント錠防犯器具である。
【背景技術】
【０００２】  窓ガラスに小さな穴を開け、その穴からクレセント錠を開錠する侵入犯が多い。侵入犯罪を防止する従来の防犯器具に於いては、抜き取り式の鍵による施錠器具の場合には、抜き取った鍵を紛失した場合等は、緊急時に外に出られない危険があった。又、窓枠に取り付けるクレセント錠の防犯用固定器具等の場合には、防犯器具を取り付けるのに必要な煩雑な作業ができない場合には使用できず、さらに、窓枠等を痛めるために賃貸住宅の場合には退室時に修繕費用が請求される場合があった。
【考案の開示】
【考案が解決しようとする課題】
【０００３】  防犯上、外出時は窓等を厳重に施錠しておきたいが、在宅時は外に出ることもあるので、窓等を厳重に施錠でき且つ容易に着脱及び施錠開錠できる防犯器具が必要であった。特に防災上、在宅時にクレセント錠に防犯器具を装着した状態で災害及び緊急事態が起こる場合を考慮すると、抜き取り式の鍵を装着しないで、誰でも容易にクレセント錠を開錠できる防犯器具が必要であった。又、賃貸住宅においては、窓枠等にネジや粘着テープ等で防犯器具を固定させて住宅備品を痛めることのない、着脱式の防犯器具が必要であった。従って、クレセント錠の上から独自な方法で本体を被せて、クレセント錠の構造を利用してクレセント錠防犯器具を固定させ、固定板２又は底板４に設置した掛け金やパッチン錠等適宜鍵またはそれに類する物６で施錠し、さらに６をマジックテープ（登録商標）７で覆って止めることにより、着脱容易で且つ住宅備品を痛めないクレセント錠防犯器具を可能にし、前述の欠点を解決しようとするものである。
【課題を解決するための手段】
【０００４】  本考案は、クレセント錠の受け金と外側の窓ガラスとの隙間に固定板１を挿入し、さらにクレセント錠の基台の凹部の上に固定板２を固定し、固定板３で施錠されたクレセント錠のクレセントのレバー１０が下ろせないようにし、固定板２又は底板４に設置した掛け金やパッチン錠等適宜鍵またはそれに類する物６を施錠することで、窓枠等を痛めることなくクレセント錠防犯器具を固定することを可能にし、前述の着脱又は施錠開錠の欠点、及び窓枠等住宅備品を痛める欠点を解決している。【０００５】  固定板１と固定板２、固定板３及び底板４を持つ、クレセント錠にほぼぴったりとした大きさの立方体等の形態の本体をクレセント錠に装着させることで、本体を上下にも左右にも移動させて取り除くことを難しくした。【０００６】  容易に開閉できる固定板２又は底板４に設置した掛け金やパッチン錠等適宜鍵またはそれに類する物６と、その上を覆うマジックテープ（登録商標）７により、災害時・緊急時でも誰でも容易に着脱及び施錠開錠でき、且つ、侵入者が窓ガラス等の小さな穴等から開錠するには多くの手間がかかることで、防犯的及び防災的欠点を解決した。
【考案の効果】
【０００７】  上述の様に、本考案のクレセント錠防犯器具は、窓枠のクレセント錠にさらに本防犯器具を装着させることで、防犯性が向上し、防犯器具を取り付ける煩雑な作業を必要としないので、賃貸住宅でも窓枠等を痛めることがなく経済的である。又、誰でも着脱させることができ、さらに抜き取り式の鍵ではないので災害時や緊急時に誰でも容易に施錠開錠できることで防災的にも役に立つことができる。
【考案を実施するための最良の形態】
【０００８】  最低限、固定板１、固定板２、固定板３、底板４を持ち、固定板１の右隣又は左隣の面に固定板２を持ち、且つ、固定板２又は底板４は開閉し、掛け金やパッチン錠等適宜鍵またはそれに類する物６により施錠する立方体等の形態。固定板２の位置は、クレセント錠が引き違い窓の枠の右側に付いている場合は固定板１の右隣、左側に付いている場合は固定板１の左隣になる。さらに本体の外側をマジックテープ（登録商標）７で覆うことにより、侵入犯に開錠することをさらに困難にさせ、幾重にも手間取らせることができる。
【実施例】
【０００９】  以下、添付図面に従って一実施例を説明する。本実施例は、クレセント錠が引き違い窓の枠の右側に付いている場合である。又、本実施例は、箱形のクレセント錠防犯器具である。１はクレセント錠の受け金と外側の窓ガラスとの隙間に挿入する固定板。２はクレセント錠の基台の凹部の上に固定する固定板。３はクレセントのレバー１０が下ろされるのを防止する固定板。４は開閉施錠可能な底板。５は１と３を繋ぐ側板。１、２、３、４、５を含む立方体が本体である。【００１０】  クレセント錠が施錠された状態で、本体が装着しているマジックテープ（登録商標）７を外し、底板４に設置した掛け金やパッチン錠等適宜鍵またはそれに類する物６を開錠した状態で、まず固定板１をクレセント錠の受け金と外側の窓ガラスとの隙間に挿入し、本体を窓の窓枠まで引き寄せる。次に本体の位置を少しずつ下げて、固定板２をクレセント錠の基台の凹部上に固定して、本体全体を固定させる。【００１１】  蝶番８により開閉する底板４を閉じ、底板４に設置した掛け金やパッチン錠等適宜鍵またはそれに類する物６によって施錠する。【００１２】  さらにマジックテープ（登録商標）７を底板４から天板に掛けて、覆って止めることで、侵入者が開錠するのを困難にさせる。【００１３】  本考案の一実施例は上述の如き構成からなるものであるから、容易に施錠できることは勿論、侵入者には開錠しにくく、しかし室内からの脱着は誰にでも容易にでき、窓枠などを傷めないクレセント錠の防犯器具を可能にした。
【図面の簡単な説明】
【００１４】
【図１】箱形のクレセント錠防犯器具の斜視図
【図２】箱形のクレセント錠防犯器具をクレセント錠の上から装着した、固定板２に関する正面図
【図３】箱形のクレセント錠防犯器具のマジックテープ（登録商標）７を止めた斜視図
【図４】箱形のクレセント錠防犯器具の固定板１に関する側面図
【符号の説明】
【００１５】１  固定板
２  固定板
３  固定板
４  底板
５  側面
６  底板４に設置した掛け金やパッチン錠等適宜鍵またはそれに類する物
７  マジックテープ（登録商標）
８  蝶番
９  クレセント
１０  クレセントのレバー
１１  クレセント錠の基台
１２  クレセント錠の受け金
１３  窓枠
１４  外側の窓ガラスの断面
【図１】
0003111732.tif 000003
【図２】
0003111732.tif 000004
【図３】
0003111732.tif 000005
【図４】
0003111732.tif 000006
【手続補正書】
【提出日】平成17年2月28日(2005.2.28)
【手続補正１】
【補正対象書類名】実用新案登録請求の範囲
【補正対象項目名】請求項２
【補正方法】変更
【補正の内容】
【請求項２】
請求項１のクレセント錠防犯器具をクレセント錠を覆い隠すように立方体に形作り、開閉可能な固定板２又は開閉可能な底板４に、掛け金やパッチン錠等適宜鍵またはそれに類する物６を装着し、外側に面ファスナー７を装着させて、侵入犯が開錠するのを幾重にも手間取らせ、難しくさせるクレセント錠防犯器具。
【手続補正２】
【補正対象書類名】明細書
【補正対象項目名】０００３
【補正方法】変更
【補正の内容】
【０００３】  防犯上、外出時は窓等を厳重に施錠しておきたいが、在宅時は外に出ることもあるので、窓等を厳重に施錠でき且つ容易に着脱及び施錠開錠できる防犯器具が必要であった。特に防災上、在宅時にクレセント錠に防犯器具を装着した状態で災害及び緊急事態が起こる場合を考慮すると、抜き取り式の鍵を装着しないで、誰でも容易にクレセント錠を開錠できる防犯器具が必要であった。又、賃貸住宅においては、窓枠等にネジや粘着テープ等で防犯器具を固定させて住宅備品を痛めることのない、着脱式の防犯器具が必要であった。従って、クレセント錠の上から独自な方法で本体を被せて、クレセント錠の構造を利用してクレセント錠防犯器具を固定させ、固定板２又は底板４に設置した掛け金やパッチン錠等適宜鍵またはそれに類する物６で施錠し、さらに６を面ファスナー７で覆って止めることにより、着脱容易で且つ住宅備品を痛めないクレセント錠防犯器具を可能にし、前述の欠点を解決しようとするものである。
【手続補正３】
【補正対象書類名】明細書
【補正対象項目名】０００６
【補正方法】変更
【補正の内容】
【０００６】  容易に開閉できる固定板２又は底板４に設置した掛け金やパッチン錠等適宜鍵またはそれに類する物６と、その上を覆う面ファスナー７により、災害時・緊急時でも誰でも容易に着脱及び施錠開錠でき、且つ、侵入者が窓ガラス等の小さな穴等から開錠するには多くの手間がかかることで、防犯的及び防災的欠点を解決した。
【手続補正４】
【補正対象書類名】明細書
【補正対象項目名】０００８
【補正方法】変更
【補正の内容】
【０００８】  最低限、固定板１、固定板２、固定板３、底板４を持ち、固定板１の右隣又は左隣の面に固定板２を持ち、且つ、固定板２又は底板４は開閉し、掛け金やパッチン錠等適宜鍵またはそれに類する物６により施錠する立方体等の形態。固定板２の位置は、クレセント錠が引き違い窓の枠の右側に付いている場合は固定板１の右隣、左側に付いている場合は固定板１の左隣になる。さらに本体の外側を面ファスナー７で覆うことにより、侵入犯に開錠することをさらに困難にさせ、幾重にも手間取らせることができる。
【手続補正５】
【補正対象書類名】明細書
【補正対象項目名】００１０
【補正方法】変更
【補正の内容】
【００１０】  クレセント錠が施錠された状態で、本体が装着している面ファスナー７を外し、底板４に設置した掛け金やパッチン錠等適宜鍵またはそれに類する物６を開錠した状態で、まず固定板１をクレセント錠の受け金と外側の窓ガラスとの隙間に挿入し、本体を窓の窓枠まで引き寄せる。次に本体の位置を少しずつ下げて、固定板２をクレセント錠の基台の凹部上に固定して、本体全体を固定させる。
【手続補正６】
【補正対象書類名】明細書
【補正対象項目名】００１２
【補正方法】変更
【補正の内容】
【００１２】  さらに面ファスナー７を底板４から天板に掛けて、覆って止めることで、侵入者が開錠するのを困難にさせる。
【手続補正７】
【補正対象書類名】明細書
【補正対象項目名】００１４
【補正方法】変更
【補正の内容】
【００１４】
【図１】箱形のクレセント錠防犯器具の斜視図
【図２】箱形のクレセント錠防犯器具をクレセント錠の上から装着した、固定板２に関する正面図
【図３】箱形のクレセント錠防犯器具の面ファスナー７を止めた斜視図
【図４】箱形のクレセント錠防犯器具の固定板１に関する側面図
【手続補正８】
【補正対象書類名】明細書
【補正対象項目名】００１５
【補正方法】変更
【補正の内容】
【００１５】  １  固定板
２  固定板
３  固定板
４  底板
５  側面
６  底板４に設置した掛け金やパッチン錠等適宜鍵またはそれに類する物
７面ファスナー
８  蝶番
９  クレセント
１０  クレセントのレバー
１１  クレセント錠の基台
１２  クレセント錠の受け金
１３  窓枠
１４  外側の窓ガラスの断面